(57)【特許請求の範囲】
【請求項１】
光ファイバーケーブルの端部に取り付けられたプラグをアダプタに対して着脱するのに用いられ、プラスチックにて一体に成形された長手帯板状のタブ本体によって構成された光コネクタ用後付タブであって、前記タブ本体の長手方向の一端に、前記プラグのブーツを保持するために中央が長手方向に沿って円弧凹状に窪んだブーツ保持形状片部と、前記タブ本体の長手方向の他端に、前記プラグのツマミ部分を引っ掛け保持するために、コ字枠外形をなし且つ内面が前記ツマミの外形状と合致させるよう窪ませてなるツマミ保持形状枠部と、を有して成り、
前記ツマミ保持形状枠部は、コ字枠内面の中央面部がツマミの上下何れかの面形状に合致し、コ字枠内面の相対向する左右内側面部がツマミの左右両側面の窪み形状に合致していると共に、
前記ツマミの左右両側面の窪み形状は、当該ツマミ後方に向けて下降傾斜した傾斜面部と、前記ツマミ後端部から外方に突出した突起部とによって形成され、前記ツマミ保持形状枠部のコ字枠内面の相対向する左右内側面部は、前記ツマミの両角部に切欠された係止部に引っ掛けられて前方への移動を阻止する爪片と、前記ツマミの傾斜面部によって当接して係止される傾斜内面部と、前記ツマミの突起部によって当接して係止される突起挿入部とを有していることを特徴とする光コネクタ用後付タブ。
【請求項２】
前記ブーツ保持形状片部の後端部には、掴む部分を細くし且つ滑り止め用のローレット目を形成してなる取手部を有していることを特徴とする請求項１に記載の光コネクタ用後付タブ。
【請求項３】
前記タブ本体もしくはブーツ保持形状片部の上面部にはラベル貼付用の凹面部が形成されてなることを特徴とする請求項１に記載の光コネクタ用後付タブ。
【請求項４】
前記タブ本体の取手部には長手方向に沿ってベルト状のラベルを縛結固定可能な孔部が形成されてなることを特徴とする請求項２に記載の光コネクタ用後付タブ。
【発明の詳細な説明】
【技術分野】
【０００１】
本発明は、光コネクタ用のアダプタに対し、光ケーブル用のプラグを着脱するための後付工具として用いられる光コネクタ用後付タブに関する。
【背景技術】
【０００２】
従来、図９及び図１０に示すように、光コネクタ用のアダプタＱに装着されている光ケーブル用のプラグＰを取外す場合には、当該プラグＰのツマミＴを直接手で掴み、後方へ引き抜くことで、前記アダプタＱから引き抜いていた。
【０００３】
すなわち、前記光コネクタ用のアダプタＱの具体的な構成としては、前記光ケーブル用のプラグＰのフェルールの芯線を相互接続できるように、当該アダプタＱの両端に、光学軸が一致するようにして、一方の挿入孔１０１ａと、他方の挿入孔１０１ｂとをそれぞれ備えている。また、後述する図９に示すように、前記挿入孔１０１ａ内奥にある接合端壁には、円筒状のスリーブＳが、光学軸上で中心軸を一致させて挿入孔１０１ａの開口端に向かって突設してある。そして、前記スリーブＳを囲繞するように、先端に鉤状の爪部を備えた撓曲自在なレバー片Ｌを対向配置させてある。このスリーブＳ内側には円筒状の割りスリーブＳ１が装着され保持されている。さらに、図１０に明示されているように、前記挿入孔１０１ａにおける上側壁中央には、プラグＰ挿入時のガイドおよび安定保持のために、当該プラグＰのツマミＴに設けられたキー突起Ｋを嵌合させるよう光軸方向に沿って直線溝条となったキー溝Ｋ１が形成されている。なお、図中の１０２は前記光コネクタ用のアダプタＱの左右側壁の各中間部に形成された取付フランジ、１０３はパネル取付用の弾性係止片である。
【０００４】
さらに、前記光ケーブル用のプラグＰは、後述する図９に示すように、光ファイバ芯線が挿入固定されるとともに後端にフランジが圧入保持されるフェルールＦと、フランジ後端に位置しフェルールＦを前方に付勢するスプリングＳＰの後端を支持するストップリングＳＲと、これら各部材を覆うプラグフレームＰＦと、光ケーブルの抗張力線である不図示のケブラを前記ストップリングＳＲに固定するカシメ座ＫＢと、光ケーブルのケブラ外側を覆う合成樹脂外皮であるシースを前記カシメ座ＫＢに固定するカシメリングＫＲと、前記ストップリングＳＲに装着されるブーツＢと、プラグフレームＰＦおよびストップリングＳＲの外側に被せられるツマミＴとから概ね構成されている。このプラグフレームＰＦの左右側面には、前記アダプタＱのレバー片Ｌを係架させるための係合溝Ｒが形成されている。
【０００５】
ところで、近年においては、この種光ケーブルの高密度化が進み、しかも同長の各プラグＰが近接した状態で各光コネクタ用のアダプタＱに装着されていることから、上下左右に隣り合っている当該アダプタＱから特定のプラグＰを引き抜くことが困難で、往々にして誤抜去という事故が生じていた。
【０００６】
そこで、本出願人は、特許文献１及び特許文献２に開示されているように、プラグがレセプタクルに嵌合実装されている状態で、該プラグのプラグフレーム左右の係止孔に、二個一対の弾性状のクランプ板の各係合突起を嵌合させることで当該プラグに係止状態に取付られ、前記クランプ板を後方へ引張ることでプラグがレセプタクルから引き抜かれるものとした光プラグ着脱工具なる技術を提案している。
【０００７】
また、本出願人は、特許文献３に開示されているように、係合突起付き係合片及びブーツ抱持部とで一体構成され、前記係合片の前面の先端部中央には、プラグフレームの後部上下両面に対称に開設されている係止孔の何れか一方の係止孔と係合する係合突起を突設し、プラグ後部に押し込むことでプラグフレームの側面に乗り上げつつ前記係合片を背後方向へ変形させて前記係合突起を前記係止孔に係合させてプラグに装着させるものとした光プラグ着脱工具なる技術も提案している。
【先行技術文献】
【特許文献】
【０００８】
【特許文献１】特許第４５６０２４４号公報
【特許文献２】特許第４５９８３１３号公報
【特許文献３】特許第４６１５７６７号公報
【発明の概要】
【発明が解決しようとする課題】
【０００９】
しかしながら、上記した特許文献１及び特許文献２による光プラグ着脱工具の場合、二個一対の弾性状のクランプ板の各係合突起を嵌合させるために、プラグフレームの左右の正確な位置に係止孔を別途に形成しなければならず、プラグ作成上の手間と時間及びその分の余分な経費が掛かるという問題があった。
【００１０】
また、特許文献３の場合、プラグ後部に押し込むことでプラグフレームの側面に乗り上げつつ係合片を背後方向へ変形させて係合突起を係合させるために、プラグフレームの後部上下両面に対称となって開設される係止孔を形成しなければならず、これもまた特許文献１の場合と同様に、プラグ作成上の手間と時間及びその分の余分な経費が掛かるという問題があった。
【００１１】
更に、上記した特許文献１、特許文献２においては、上記クランプ板が長手方向に突出した二股片であり、特許文献３においては、係合片が長手方向に突出した一枚板であることから、光プラグ着脱工具による繰り返しのプラグ挿抜操作によって、当該クランプ板や係合片の弾力性が脆弱化し、前記係止孔から前記係合突起が離脱して、光プラグ着脱工具が当該プラグから脱落してしまう虞があった。
【００１２】
而して、上記したような課題の対抗策として、定期的に挿抜する場合を想定して、プラグのツマミに合わせた形状を有し、当該ツマミ全体を上下左右側からカバーしつつ、脱落せずに確実に保持可能とした腰の強い「後付タブ」の開発が従来より求められていた。
【００１３】
そこで、本発明は、叙上のような従来存した諸事情に鑑み案出されたもので、既に使用されているプラグに対する後付が可能で、プラグからの脱落をも未然に防止でき、更にプラグの上下どちら側からでも取付が可能となるようにした光コネクタ用後付タブを提供することを目的とする。
【課題を解決するための手段】
【００１４】
上述した課題を解決するために、本発明にあっては、光ファイバーケーブルの端部に取り付けられたプラグをアダプタに対して着脱するのに用いられ、プラスチックにて一体に成形された長手帯板状のタブ本体によって構成された光コネクタ用後付タブであって、前記タブ本体の長手方向の一端に、前記プラグのブーツを保持するために中央が長手方向に沿って円弧凹状に窪んだブーツ保持形状片部と、前記タブ本体の長手方向の他端に、前記プラグのツマミ部分を引っ掛け保持するために、コ字枠外形をなし且つ内面が前記ツマミの外形状と合致させるよう窪ませてなるツマミ保持形状枠部と、を有して成り、
前記ツマミ保持形状枠部は、コ字枠内面の中央面部がツマミの上下何れかの面形状に合致し、コ字枠内面の相対向する左右内側面部がツマミの左右両側面の窪み形状に合致していると共に、
前記ツマミの左右両側面の窪み形状は、当該ツマミ後方に向けて下降傾斜した傾斜面部と、前記ツマミ後端部から外方に突出した突起部とによって形成され、前記ツマミ保持形状枠部のコ字枠内面の相対向する左右内側面部は、前記ツマミの両角部に切欠された係止部に引っ掛けられて前方への移動を阻止する爪片と、前記ツマミの傾斜面部によって当接して係止される傾斜内面部と、前記ツマミの突起部によって当接して係止される突起挿入部とを有していることを特徴とする。
【００１５】
前記ブーツ保持形状片部の後端部には、掴む部分を細くし且つ滑り止め用のローレット目を形成してなる取手部を有していることを特徴とする請求項１に記載の光コネクタ用後付タブ。
【００１６】
前記タブ本体もしくはブーツ保持形状片部の上面部にはラベル貼付用の凹面部が形成されてなることを特徴とする請求項１に記載の光コネクタ用後付タブ。
【００１７】
前記タブ本体の取手部には長手方向に沿ってベルト状のラベルを縛結固定可能な孔部が形成されてなることを特徴とする請求項２に記載の光コネクタ用後付タブ。
【発明の効果】
【００１８】
本発明によれば、タブ本体の長手方向の一端に、前記プラグのブーツを保持するために中央が長手方向に沿って円弧凹状に窪んだブーツ保持形状片部と、前記タブ本体の長手方向の他端に、前記プラグのツマミ部分を引っ掛け保持するために、コ字枠外形をなし且つ内面が前記ツマミの外形状と合致させるよう窪ませてなるツマミ保持形状枠部と、を有して成り、
前記ツマミ保持形状枠部は、コ字枠内面の中央面部がツマミの上下何れかの面形状に合致し、コ字枠内面の相対向する左右内側面部がツマミの左右両側面の窪み形状に合致していると共に、
前記ツマミの左右両側面の窪み形状は、当該ツマミ後方に向けて下降傾斜した傾斜面部と、前記ツマミ後端部から外方に突出した突起部とによって形成され、前記ツマミ保持形状枠部のコ字枠内面の相対向する左右内側面部は、前記ツマミの両角部に切欠された係止部に引っ掛けられて前方への移動を阻止する爪片と、前記ツマミの傾斜面部によって当接して係止される傾斜内面部と、前記ツマミの突起部によって当接して係止される突起挿入部とを有しているので、
既に使用されているプラグに対する後付が可能で、プラグからの脱落をも未然に防止でき、更にプラグの上下どちら側からでも取付が可能となるようにした光コネクタ用後付タブを提供することができ、当該光ケーブルシステムの諸々のプラグセキュリティを構築可能にする。また、単心アダプタのみならず、縦または横に連結している２心の光コネクタ用のアダプタにも使用可能である。さらに、特別な治具を用いずに当該プラグの脱着がワンタッチで容易に且つ確実に可能となる。
【００１９】
前記ブーツ保持形状片部の後端部には、掴む部分を細くし且つ滑り止め用のローレット目を形成してなる取手部を有しているので、当該取手部を持ってのプラグ挿抜が可能となることから、上下左右に隣り合っているアダプタから特定のプラグを容易に引き抜くことができ、これによって誤抜去という事故を極めて少なくすることができる。
【００２０】
前記タブ本体若しくはブーツ保持形状片部の上面部にはラベル貼付用の凹面部が形成されているので、これによって貼付済みのラベルの剥離を有効に防止することができる。
【００２１】
前記タブ本体の取手部には長手方向に沿ってベルト状のラベルを縛結固定可能な孔部が形成されているので、これによって縛結後のベルト状ラベルの離脱を有効に防止することができる。
【図面の簡単な説明】
【００２２】
【図１】本発明を実施するための一形態における光コネクタ用後付タブを示す上面斜視図である。
【図２】同上光コネクタ用後付タブを示す下面斜視図である。
【図３】同じく光コネクタ用後付タブを示し、（ａ）は平面図、（ｂ）は側面図、（ｃ）は底面図、（ｄ）は正面図、（ｅ）は背面図、（ｆ）はＡ−Ａ断面図である。
【図４】光コネクタ用後付タブをプラグに取付けた状態を示す上面斜視図である。
【図５】同上の底面図である。
【図６】同上の拡大した正面図である。
【図７】光コネクタ用後付タブを取付けたプラグをアダプタに接続した状態を示す斜視図である。
【図８】アダプタ、プラグ、光コネクタ用後付タブを分解した平面図である。
【図９】光コネクタ用後付タブの使用手順を説明するもので、（ａ）はプラグに光コネクタ用後付タブを取付けた後に、アダプタに挿入する前の一部断面で示す平面図、（ｂ）はアダプタに挿入中の一部断面で示す平面図、（ｃ）はアダプタに挿入した後の一部断面で示す平面図である。
【図１０】従来例におけるプラグをアダプタに挿入した状態の斜視図である。
【発明を実施するための形態】
【００２３】
以下、図面を参照して本発明に係る光コネクタ用後付タブの実施の一形態を詳細に説明する。
この光コネクタ用後付タブ１（以下、タブ本体１と略称する）は、光ファイバーケーブルの端部に取り付けられたプラグＰを光コネクタ用のアダプタＱに対して着脱するのに用いられ、プラスチックにて一体に成形されてなり、既に使用されている光ファイバーケーブル用のプラグＰに対する後付が可能となっている。なお、本実施形態のタブ本体１は、単心の光コネクタ用のアダプタＱのみならず、縦または横に連結している２心の光コネクタ用のアダプタＱにも使用可能な形状となっている。また、前記タブ本体１とプラグＰは、治具不要で脱着可能に形成されており、且つ前記プラグＰヘの取付方法としては、上下どちら側からでも前記タブ本体１の取付が可能となっている。
【００２４】
＜光コネクタ用後付タブの構成＞
すなわち、図１、図２及び図３に示すように、本実施形態におけるタブ本体１は、ブーツＢ全体と光ファイバーケーブルの一部を保持もしくはカバーするよう内面中央が長手方向に沿って円弧凹状の窪み部２Ａを形成してなる長手帯板状のブーツ保持形状片部２と、該ブーツ保持形状片部２の先端に延設され、前記プラグＰのツマミＴ部分を引っ掛け保持するために、コ字枠外形をなし且つ内面が前記ツマミＴの外形状と合致させるよう窪ませてなるツマミ保持形状枠部３と、前記ブーツ保持形状片部２の後端に延設され、掴む横幅方向の部分が細く且つ滑り止め用のローレット目が上部表面から左右外側面にかけて形成されるとともに、内面が後述する前記ブーツＢ嵌合用の円弧部１３と同形の円弧部１４を備えた取手部４とを備えている。
【００２５】
また、前記ツマミ保持形状枠部３のコ字枠先部両下端には、後述するツマミＴの両角部に切欠された係止部７に引っ掛けられる爪片８が対向配設されている。
一方、前記ツマミ保持形状枠部３のコ字枠後端の円弧部１３下方には、前記ブーツＢ嵌合後の当該ブーツＢを保持する突部９が対向突設されるとともに、前記ブーツＢを嵌め易くするための拡開部１０が対向形成されている。
【００２６】
前記ツマミ保持形状枠部３のコ字枠内面は、図２および図５に示すように、中央面部がツマミＴの上下何れかの面形状に合致し、コ字枠内面の相対向する左右内側面部がツマミＴの左右両側面の窪み形状に合致している。すなわち、前記ツマミＴの左右両側面の窪み形状は、当該ツマミＴの既述係止部７の後方に向けて下降傾斜した傾斜面部１１と、ツマミＴ後端部から外方に突出した突起部１２とによって形成され、前記ツマミ保持形状枠部３のコ字枠内面の相対向する左右内側面には、前記ツマミＴの係止部７に引っ掛けられて前方への移動を阻止する爪片８と、前記ツマミＴの傾斜面部１１によって当接して係止される傾斜内面部１１Ａと、前記ツマミＴの突起部１２によって当接して係止される突起挿入部１２Ａとがそれぞれ連設されている。
【００２７】
一方、前記突起挿入部１２Ａの後部側内面は、ブーツＢの最大径部分（プラグＰ側根元部）を嵌合するための略Ｃリング状の円弧部１３が連設されている。そして、この円弧部１３の下方には、当該円弧部１３嵌合後の前記ブーツＢを保持する突部９と嵌合を容易にするための拡開部１０が各連設されていることは既述の通りである。
【００２８】
＜プラグの構成＞
前記光ファイバーケーブル用のプラグＰの具体的な構成は、上記した図４、図５、図７、図９及び図１０に示すように、光ファイバ芯線が挿入固定されるとともに後端にフランジが圧入保持されるフェルールＦと、フランジ後端に位置しフェルールＦを前方に付勢するスプリングＳＰの後端を支持するストップリングＳＲと、これら各部材を覆うプラグフレームＰＦと、光ケーブル（図示せず）の抗張力線である不図示のケブラを前記ストップリングＳＲに固定するカシメ座ＫＢと、光ケーブルのケブラ外側を覆う合成樹脂外皮であるシースを前記カシメ座ＫＢに固定するカシメリングＫＲと、前記ストップリングＳＲに装着されるブーツＢと、プラグフレームＰＦおよびストップリングＳＲの外側に被せられるツマミＴとから概ね構成されている。このプラグフレームＰＦの左右側面には、前記アダプタＱのレバー片Ｌを係架させるための係合溝Ｒが形成されている。
因みに、既述した如く、ツマミＴの左右側面には、後方に向けて下降傾斜した傾斜面部１１と、該傾斜面部１１後端から外方に向けて突出した突起部１２とが形成されていることで手指で掴み易い形状となっている。
【００２９】
＜アダプタの構成＞
前記光コネクタ用のアダプタＱの具体的な構成としては、図７乃至図１０に示すように、挿入孔１０１ａ内奥にある接合端壁に円筒状のスリーブＳが、光学軸上で中心軸を一致させて前記挿入孔１０１ａの開口端に向かって突設してある。そして、前記スリーブＳを囲繞するように、先端に鉤状の爪部を備えた撓曲自在なレバー片Ｌを対向配置させてある。このスリーブＳ内側には円筒状の割りスリーブＳ１が装着され保持されている。また、前記挿入孔１０１ａにおける上側壁中央には、プラグＰ挿入時のガイドおよび安定保持のために、当該プラグＰのツマミＴに設けられたキー突起Ｋを嵌合させるよう光軸方向に沿って直線溝条となったキー溝Ｋ１が形成されている。なお、図中の１０２はアダプタＱの左右側壁の各中間部に形成された取付フランジ、１０３はガタ止め用の弾性係止片である。
【００３０】
なお、前記タブ本体１（ブーツ保持形状片部２）の上面部には、ラベル貼付用の凹面部５を有し、該凹面部５にラベルを貼付することで当該ラベルの剥がれを防止できるようにしてある。また、前記タブ本体１の後部である取手部４の上面中央には長手方向に沿って孔部６が形成され、該孔部６を利用して、ベルト状のラベル（図示せず）を縛結固定できるようにしてある。
【００３１】
次に、以上のように構成された形態についての使用の一例について説明する。
先ず、前記タブ本体１を前記プラグＰに取付ける場合には、前記ツマミＴ後方に向けて下降傾斜した傾斜面部１１と、前記ツマミＴ後端部から外方に突出した突起部１２とに、前記タブ本体１の先端に設けられたコ字枠からなるツマミ保持形状枠部３内面の傾斜内面部１１Ａと、これに連設された突起挿入部１２Ａとをそれぞれ当接抱持させるようにして、前記ツマミＴに前記タブ本体１先端に設けられた前記ツマミ保持形状枠部３が装着される。
【００３２】
このとき、前記ツマミ保持形状枠部３のコ字枠上部内面から左右内側面にかけて、ツマミＴの後部全体がピタッと嵌合されると同時に、当該コ字枠前部下端に対向突設された爪片８が、前記ツマミＴの両角部に切欠された係止部７に引っ掛けられ且つ前記コ字枠後端に対向突設された突部９に保持されることで光コネクタ用後付タブ１の引き抜きが阻止される（図２、図５、図９（ａ）参照）。
【００３３】
次いで、前記タブ本体１を手に持って、前記光コネクタ用のアダプタＱの挿入孔１０１ａにプラグＰを挿入する。このとき、図９（ｂ）に示すように、前記プラグＰの先端傾斜部位によって、当該アダプタＱの挿入孔１０１ａ内奥部のレバー片Ｌが拡げられる。
【００３４】
その後、図９（ｃ）に示すように、前記プラグＰのロック位置（レバー片Ｌが係合溝Ｒに合致した位置）でレバー片Ｌが弾性復帰（自由位置に戻る）し、レバー片Ｌが係合溝Ｒに掛架されてロックが完了する。
【００３５】
また、抜去時には、前記タブ本体１後部の取手部４を手に持って強制的に引き抜くことで、レバー片Ｌが弾性的に拡開され、ロック位置から解放（レバー片Ｌが係合溝Ｒから離脱）される。しかる後にそのままプラグＰを引き抜けば良い（図９（ａ）参照）。
【００３６】
以上、説明したように、本実施形態におけるタブ本体１は、隣接するタブ付プラグに影響がないようにして、引き抜きを必要とする光コネクタ用のアダプタＱの挿入孔１０１ａに装着されたプラグＰの抜去がワンタッチで確実且つ容易に可能となるものである。
【符号の説明】
【００３７】
Ｐ                  プラグ
Ｑ                  アダプタ
Ｂ                  ブーツ
Ｔ                  ツマミ
Ｆ                  フェルール
ＳＰ                スプリング
ＰＦ                プラグフレーム
ＳＲ                ストップリング
ＫＢ                カシメ座
ＫＲ                カシメリング
Ｌ                  レバー片
Ｒ                  係合溝
Ｋ                  キー突起
Ｋ１                キー溝
Ｓ                  スリーブ
Ｓ１                割りスリーブ
１                  光コネクタ用後付タブ（タブ本体）
２                  ブーツ保持形状片部
２Ａ                窪み部
３                  ツマミ保持形状枠部
４                  取手部
５                  凹面部
６                  孔部
７                  係止部
８                  爪片
９                  突部
１０                拡開部
１１                傾斜面部
１１Ａ              傾斜内面部
１２                突起部
１２Ａ              突起挿入部
１３                円弧部
１４                円弧部
１０１ａ、１０１ｂ  挿入孔
１０２              取付フランジ
１０３              弾性係止片
【図１】
0006593837.tif 000002
【図２】
0006593837.tif 000003
【図３】
0006593837.tif 000004
【図４】
0006593837.tif 000005
【図５】
0006593837.tif 000006
【図６】
0006593837.tif 000007
【図７】
0006593837.tif 000008
【図８】
0006593837.tif 000009
【図９】
0006593837.tif 000010
【図１０】
0006593837.tif 000011